(57)【要約】【課題】  従来の電子機器では、１つの表示部に対し、リンクした映像を見る際には、表示画面に従い、操作部を用いて、表示画面を何度も切り換える必要が有り、操作が手間であるという問題があった。【解決手段】  本発明の電子機器では、１つの表示部に対し、使用者の視角を変えることで、少なくとも２画面以上を表示することができる。そして、例えば、受信メール一覧画面と選択受信メール画面とのように、リンクしたデータを１つの表示部に対し、２画面として表示する。そのことで、本発明では、使用者は、表示部に対し、視角を変えることで、少なくとも２画面の情報を得ることができ、操作性を向上させることができる。【選択図】    図８
2005077936.tif 000002
【特許請求の範囲】
【請求項１】
１つの表示部に対し、少なくとも２つの関連する映像データを一方向及び他方向からの画面として同時に表示する表示手段と、
前記表示部に対する視角に応じて、前記一方向からの画面あるいは前記他方向からの画面を可視させる画面表示制御手段とを具備することを特徴とする電子機器。
【請求項２】
前記画面表示制御手段は、前記表示部に対する視角に応じて前記一方向からの画面あるいは前記他方向からの画面を可視させるＯＮ動作と、前記表示部に対する視角に関係なく全画面を可視させるＯＦＦ動作とを含み、
前記表示手段は、前記画面表示制御手段がＯＦＦ動作したとき、前記表示部に対し、１つの映像データを全画面として表示させることを特徴とする請求項１に記載の電子機器。
【請求項３】
前記一方向からの画面及び前記他方向からの画面は、それぞれ前記表示部一面に表示されることを特徴とする請求項１に記載の電子機器。
【請求項４】
前記表示部に表示された画面に従い、キー操作部を操作する操作手段とを具備し、前記２つの映像データは、所望の前記キー操作部を操作すると、前記一方向からの画面に前記他方向からの画面が表示され、一方、前記他方向からの画面に新たな画面が表示されることを特徴とする請求項１に記載の電子機器。
【請求項５】
前記表示部に表示された画面に従い、キー操作部を操作する操作手段とを具備し、前記２つの映像データが前記表示部に表示された状態で、所望の前記キー操作部を操作すると、前記画面表示制御手段はＯＦＦ動作することを特徴とする請求項２に記載の電子機器。
【請求項６】
前記２つの映像データは、メール機能の受信メール一覧データと該一覧データの中で選択された受信メールの詳細データとであることを特徴とする請求項１に記載の電子機器。
【請求項７】
前記２つの映像データは、メール機能の受信メールの本文データの現頁データと次頁データとであることを特徴とする請求項１に記載の電子機器。
【請求項８】
前記２つの映像データは、メール機能の受信メールの本文データと該受信メールに添付されている画像データとであることを特徴とする請求項１に記載の電子機器。
【請求項９】
前記２つの映像データは、メール機能の受信メールデータと該受信メールへの返信メール作成頁データとであることを特徴とする請求項１に記載の電子機器。
【請求項１０】
前記２つの映像データは、画像データの一方向側半分の画像データと他方向半分の画像データとであることを特徴とする請求項１に記載の電子機器。
【請求項１１】
前記２つの映像データは、地図データの一覧データと該一覧データの詳細データとであることを特徴とする請求項１に記載の電子機器。
【請求項１２】
前記２つの映像データは、時計データとカレンダーデータとであることを特徴とする請求項１に記載の電子機器。
【請求項１３】
前記画面表示制御手段は前記表示手段の所望の一部分に機能することを特徴とする請求項１に記載の電子機器。
【請求項１４】
前記２つの映像データは、画像データと該画像データに関連する文字データとであることを特徴とする請求項１３に記載の電子機器。
【発明の詳細な説明】
【技術分野】
【０００１】
本発明は、一つの表示部を異なる方向から見ることで、少なくとも２画面以上の情報を提供できる技術に関する。
【背景技術】
【０００２】
従来の携帯電話機器では、１つの表示部の表示画面を分割表示し、使用者が、分割表示された画面に従い、対応する操作部を操作し、所望の表示画面を表示させることができた（例えば、特許文献１参照）。
【０００３】
また、従来の携帯型小型情報機器では、１つの表示部の表示画面を分割表示し、その中の１つの分割画面に対し、一定時間毎に自動的にシフトしながら、異なる情報を表示させることができた（例えば、特許文献２参照）。
【特許文献１】特開２０００−１０７０２号公報（第７−９頁、第３−６図）
【特許文献２】特開平１１−１５６２９号公報（第５−６頁、第２−第４図）
【発明の開示】
【発明が解決しようとする課題】
【０００４】
従来の電子機器では、１つ表示部に対し、１つの表示画面が表示され、使用者は、その表示画面に従い、操作部を用いて所望の表示画面を表示させていた。特に、メールモードの受信メール一覧画面と該一覧画面から選択される個々の受信メール画面とのように、リンクした画面では、使用者が操作部を操作し、表示部に両画面を交互に表示させていた。そして、使用者は、同じ操作を繰り返し行うことで、所望の受信メール画面を表示部に表示させていた。そのため、使用者にとって、操作部の繰り返し操作が手間であるという問題があった。
【０００５】
また、携帯電話機等の携帯機器では、携帯機器全体の大きさにより、表示部の大きさが限定されてしまうため、表示部に表示されるデータ量にも限りがあった。そのため、スクロール等の使用者の操作により、表示画面を移行する必要性があり、使用者の利便性に問題があった。
【０００６】
本発明は、表示部にスリット機能を設け、表示部に対する使用者の視角により、異なる画面を表示するデュアルビューモードにより、１つの表示部に対し、少なくとも２画面以上を同時に表示することで、上述した課題を解決することを目的とする。
【課題を解決するための手段】
【０００７】
上述した各事情に鑑みて成されたものであり、本発明の電子機器では、１つの表示部に対し、少なくとも２つの関連する映像データを一方向及び他方向からの画面として同時に表示する表示手段と、前記表示部に対する視角に応じて、前記一方向からの画面あるいは前記他方向からの画面を可視させる画面表示制御手段とを具備することを特徴とする。従って、本発明の電子機器では、１つの表示部に対し、２つの異なる画面を同時に表示することができ、使用者は該表示部に対し２方向から見ることで、それぞれの画面を見ることができる。
【０００８】
また、本発明の電子機器では、前記画面表示制御手段は、前記表示部に対する視角に応じて前記一方向からの画面あるいは前記他方向からの画面を可視させるＯＮ動作と、前記表示部に対する視角に関係なく全画面を可視させるＯＦＦ動作とを含み、前記表示手段は、前記画面表示制御手段がＯＦＦ動作したとき、前記表示部に対し、１つの映像データを全画面として表示させることを特徴とする。従って、本発明の電子機器では、表示部に対し、１画面を表示させる場合と、少なくとも２画面以上表示させる場合とを選択することができる。
【０００９】
また、本発明の電子機器では、前記一方向からの画面及び前記他方向からの画面は、それぞれ前記表示部一面に表示されることを特徴とする。従って、本発明の電子機器では、１つの表示部に対し同時に表示された２つの異なる画面は、それぞれ該表示部の全面に表示されることができる。
【００１０】
また、本発明の電子機器では、前記表示部に表示された画面に従い、キー操作部を操作する操作手段とを具備し、前記２つの映像データはリンクしたデータであり、所望の前記キー操作部を操作すると、前記一方向からの画面に前記他方向からの画面が表示され、一方、前記他方向からの画面に新たな画面が表示されることを特徴とする。従って、本発明の電子機器では、１つの表示部に対し、２つの異なる画面を同時に表示することができ、使用者が視認した表示画面に従い所望の操作を行うと、一方向及び他方向からの画面に、所望の画面を表示させることができる。
【００１１】
また、本発明の電子機器では、前記表示部に表示された画面に従い、キー操作部を操作する操作手段とを具備し、前記２つの映像データが前記表示部に表示された状態で、所望の前記キー操作部を操作すると、前記画面表示制御手段はＯＦＦ動作することを特徴とする。従って、本発明の電子機器では、使用者の選択により、前記画面表示制御手段をＯＦＦ動作とすることができ、画像の解像度の劣化を防止した状態で、所望の映像を鑑賞することができる。
【００１２】
また、本発明の電子機器では、前記２つの映像データは、メール機能の受信メール一覧データと該一覧データの中で選択された受信メールの詳細データとであることを特徴とする。従って、本発明の電子機器では、受信メールの一覧画面と該一覧画面で選択した個々の受信メールの詳細画面とを、画面に対しての視角を変えることで、両画面を瞬時に見ることができる。
【００１３】
また、本発明の電子機器では、前記２つの映像データは、メール機能の受信メールの本文データの現頁データと次頁データとであることを特徴とする。従って、本発明の電子機器では、選択した受信メールの本文が２頁である場合でも、画面に対しての視角を変えることで、両頁を瞬時に見ることができる。
【００１４】
また、本発明の電子機器では、前記２つの映像データは、メール機能の受信メールの本文データと該受信メールに添付されている画像データとであることを特徴とする。従って、本発明の電子機器では、選択した受信メールの本文画面と該受信メールに添付された画像とを、画面に対しての視角を変えることで、瞬時に見ることができる。
【００１５】
また、本発明の電子機器では、前記２つの映像データは、メール機能の受信メールデータと該受信メールへの返信メール作成頁データとであることを特徴とする。従って、本発明の電子機器では、選択した受信メールへ返信する際、該受信メール画面と返信メール作成画面とを瞬時に切り換えながら、返信メールを作成できる。
【００１６】
また、本発明の電子機器では、前記２つの映像データは、画像データの一方向側半分の画像データと他方向半分の画像データとであることを特徴とする。従って、本発明の電子機器では、１画面表示が難しい画像でも、右半分の画像と左半分の画像とを、画面に対しての視角を変えることで、両画面を瞬時に見ることができる。
【００１７】
また、本発明の電子機器では、前記２つの映像データは、地図データの一覧データと該一覧データの詳細データとであることを特徴とする。従って、本発明の電子機器では、一画面に対し、地図全体の画面を確認しながら、所望の地図の詳細画面を、画面に対しての視角を変えることで、瞬時に見ることができる。
【００１８】
また、本発明の電子機器では、前記２つの映像データは、時計データとカレンダーデータとであることを特徴とする。従って、本発明の電子機器では、一画面で、現在時刻とカレンダーとを、画面に対しての視角を変えることで、両画面を瞬時に見ることができる。
【００１９】
また、本発明の電子機器では、前記画面表示制御手段は前記表示手段の所望の一部分に機能することを特徴とする。従って、本発明の電子機器では、一画面の所望の箇所においてのみ、少なくとも２方向から異なる画面を見ることができることで、映像の解像度が劣化する箇所を抑えることができる。
【００２０】
また、本発明の電子機器では、前記２つの映像データは、画像データと該画像データに関連する文字データとであることを特徴とする。従って、本発明の電子機器では、画面に対しての視角により、画像と文字とを見ることができる箇所を限定し、画像の解像度を劣化させることなく、画像を楽しむことができる。
【発明の効果】
【００２１】
本発明では、第１に、１つの表示部に対し、一方向からの表示画面及び他方向からの表示画面を同時に表示することができる。そのことで、使用者は、該表示部に対し視角を変えることで、２画面分の情報を取得することができる。そして、使用者は、スクロール等の余計な操作を行うことなく、連続した情報を得ることができ、利便性を向上させることができる。
【００２２】
本発明では、第２に、１つの表示部に対し、一方向からの表示画面及び他方向からの表示画面を同時に表示するデュアルビューモードとシングルビューモードとを簡単に切り換えることができる。そのことで、使用者は、画像データように、高い解像度の状態で鑑賞したい場合には、シングルビューモードで鑑賞できる。一方、リンクした情報を見たい場合には、デュアルビューモードにより、多くの情報を取得することができる。
【００２３】
本発明では、第３に、表示部の任意の箇所に対し、画面表示制御手段を設定することができる。そのことで、画面表示制御手段が設定されていない箇所では、画像の解像度の劣化を防止できる。
【発明を実施するための最良の形態】
【００２４】
以下に、本発明における一実施の形態について、図１〜図１３を参照にして詳細に説明する。本発明は、例えば、ＴＶ、ＰＣ（Ｐｅｒｓｏｎａｌ  ｃｏｍｐｕｔｅｒ）、ＰＩＣ（ｐｅｒｓｏｎａｌ  ｉｎｔｅｌｌｉｇｅｎｔ  ｃｏｍｍｕｎｉｃａｔｏｒ）、電子カメラ、ゲーム機器、カーナビゲーション等ディスプレイ画面を有する任意の電子機器に適用できるが、以下では、好適な実施の形態として、折り畳み可能な携帯電話機１について説明する。尚、以下では折り畳み可能な携帯電話機が示されているが、この形態に限定されるものではなく、例えば、ストレート式の携帯電話機の場合でも良い。
【００２５】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。尚、図１の概観図では、カメラ機能を有する形態が示されているが、特に、カメラ機能を有無に限定する必要はなく、図２では、カメラ部の説明を省略する。また、図３は同携帯電話機のデュアルビューモード画面用のデータの合成方法を説明するイメージ図であり、図４は同携帯電話機のデュアルビューモード画面の仕組みを説明するイメージ図である。
【００２６】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部１５は、撮影を行うためのセンターキー１５１、カメラ機能を起動させるカメラキー１５２、電源投入するための電源キー１５３、メール機能を起動させるメールキー１５４、十字キー１５５、数字入力及び文字入力を行うテンキー１５６等から構成されている。
【００２７】
そして、表示部１４は、スピーカ２が配置されている蓋部内側に四角形状で配置されており、第２表示部４は四角い形状で蓋部外側の中央付近に配置されている。更に、撮像部５は、蓋部外側のヒンジ近くの中央付近に配置され、閉じた状態でも第２表示部４で被写体を確認しながら撮影ができる。また、背面キー６は第２表示部４の下方に配され、閉じた状態でシャッターキーとして使用され、使用者が自らを撮影するのに適している。一方、開いた状態で撮影する場合は、表示部１４あるいは第２表示部４で被写体を確認しながら、キー操作部１５のセンターキー１５１を押下することで撮影することができる。
【００２８】
図２に示す如く、本実施の形態の携帯電話機１は、主に、制御部１１、メモリ１２、表示ドライバ部１３、表示部１４、キー操作部１５、バックライト１６、アンテナ１７、無線部１８、通信制御部１９を備えている。尚、上述したように、本実施の形態では、カメラ機能を構成する撮像部、画像処理部及びそれに伴う画像圧縮処理部、画像伸張処理部等の説明は省略する。
【００２９】
制御部１１は、携帯電話機１を構成する各部位の動作を制御し、例えば、メモリ１２、表示ドライバ部１３、バックライト１６、通信制御部１９等を制御する。
【００３０】
メモリ１２は、読み出し及び書き込み可能なＲＡＭ（Randam Access Memory）であり、例えば、ワークメモリ及び不揮発メモリから構成される。メモリ１２では、例えば、電話帳ファイル、スケジュールファイル、電子メールファイル等が保存されている。そして、電話帳ファイルでは、電話帳検索機能における氏名、電話番号、メールアドレス等の個人情報データが保存されている。スケジュールファイルでは、予定、相手先氏名等のスケジュール情報データが保存されている。電子メールファイルでは、受信メールデータ、送信メールデータ等が保存されている。また、メモリ１２は、アンテナ１７等を介して受信した各種受信データ、例えば、画像データ、音楽データ、文字データ等も保存する。一方、図２には示していないが、携帯電話機１には、読み出し専用であるＲＯＭ（Read Only Memory）から成るメモリもあり、出荷時に、予め、設定されている画像データ、音楽データも保存されている。
【００３１】
制御部１１は、表示ドライバ部１３に制御信号を送信するとともに、メモリ１２に記憶されている文字データ、画像データを、表示ドライバ部１３に送る。
【００３２】
表示ドライバ部１３は、表示部１４に表示しようとする文字データ、画像データに従って、表示部１４の各画素電極に対して駆動電圧を印加する。表示部１４は、液晶ディスプレイおよびＥＬ（Electro Luminescense）ディスプレイなどで実現され、表示ドライバ部１３を介して送られてくる画像データに基づく画像を表示する。
【００３３】
キー操作部１５は、上述したように、数字および文字を入力するためのテンキー１５６などから構成される。
【００３４】
バックライト１６は、発光素子である発光ダイオードなどから構成され、表示部１４を背面より照明する。バックライト１６の点灯、消灯の制御および輝度調整などの制御は、制御部１１によって行われる。尚、バックライト１６は、使用者によって消灯するための所定の操作が行われるまで点灯する構成としてもよいし、点灯してから所定時間が経過すると消灯する構成としてもよい。
【００３５】
アンテナ１７は、無線電波を介して基地局と無線通信を行うときに、音声データ、文字データおよび画像データなどを送受信する。無線部１８は、所定の通信プロトコルに基づいて、受信時は、基地局からアンテナ１７を介して受信したデータを復調し、送信時は、通信制御部１９から送られてくる文字データおよび画像データなどを変調して増幅し、アンテナ１７を介して基地局に送信する。通信制御部１９は、受信データの中で無線部１８が復調した画像データを、画像切換制御部、画像圧縮部を介してメモリ１２に記憶させる。また、通信制御部１９は、受信データの中で文字データ等を制御部１１の指示に基づき、メモリ１２へと送る。
【００３６】
本実施の形態での制御部１１内の映像データ合成手段では、表示部１４に対し、少なくとも２方向からそれぞれ表示される映像データを合成し、合成映像データを生成する。図３（Ａ）から（Ｃ）に示すように、本実施の形態の一実施例としては、例えば、映像データ合成手段では、メモリ１２から図３（Ａ）に示す一方向からの映像データを読み出す。一方、映像データ合成手段では、デュアルビューモードの起動を認識すると、図３（Ｂ）に示す他方向からの映像データも読み出す。そして、映像データ合成手段では、図３（Ｃ）に示すように、一方向及び他方向からの映像データに対し、横方向、つまり、列方向において１／２間引きを行う。例えば、一方向及び他方向からの映像データの両データは、２列目、４列目、６列目と、偶数列の映像データを消去し、１列目、３列目、５列目と、奇数列の映像データを残す。
【００３７】
その後、映像データ合成手段では、１／２間引きした一方向及び他方向の映像データを交互に組み込んで配置させる。例えば、一方向の映像データの１列目の隣に他方向の映像データの１列目を配置し、その隣には、一方向の映像データの３列目を配置させる。この映像データ合成手段の処理により、デュアルビューモード用の合成映像データが生成される。
【００３８】
尚、本実施の形態では、一度、一方向及び他方向の映像データを読み出した後、映像データの１／２間引きを行っているが、特に、この場合に限定する必要はない。例えば、メモリ１２から一方向及び他方向の映像データを読み出す際に、映像データの１／２間引きを行っても良い。この場合には、合成処理に用いられるメモリ領域が、本実施の形態として上述した場合の半分で足りるという効果を有する。その他、合成映像データは、種々な合成方法により生成された場合でも良い。また、本実施の形態では、映像データとは静止画像データ、動画データ、文字データを含むものとする。
【００３９】
また、本実施の形態での制御部１１内の表示画像制御手段では、デュアルビューモードの起動を認識すると、表示部１４表面に、例えば、表示部１４に対し左右方向へのスリット２０、あるいは、上下方向へのスリット２０を施す。例えば、図４に示すように、使用者が、Ａ地点から表示部１４を覗いた場合には、スリット２０により、一方向からの映像２１のみを見ることができる。つまり、表示部１４には、一方向からの映像２１と他方向からの映像２２とが、交互に表示されているが、スリット２０により、Ａ地点から覗いた使用者には、一方向からの映像２１が連続して見ることができる。一方、Ｂ地点から覗いた使用者には、同様に、スリット２０により、他方向からの映像２２が連続して見ることができる。
【００４０】
尚、本実施の形態では、表示画像制御手段はＯＮ動作及びＯＦＦ動作が切り換えられるが、表示画像制御手段はＯＮ動作状態のままであっても良い。
【００４１】
また、本実施の形態での制御部１１内のビューモード切換手段では、表示部１４に対し、２画面を同時に表示するデュアルビューモードと、１画面を表示するシングルビューモードを切り換える。具体的には、使用者のキー操作部１５の操作信号に従い、表示画像制御手段及び映像データ合成手段に対し、ＯＮ動作の信号、あるいは、ＯＦＦ動作の信号を送る。そのことで、表示部１４は、所望のタイミングでデュアルビューモード、あるいは、シングルビューモードに切り換えられる。
【００４２】
次に、図５から図７は、本発明の携帯電話機の電子メールデータ閲覧画面におけるデュアルビューモードを用いた表示方法を説明するためのフローチャートである。尚、以下では、電子メールモードの受信メールに関して説明するが、送信メールに関しても同様である。
【００４３】
図５に示す如く、本実施の形態では、使用者が、携帯電話機１の受信メール一覧画面を用いて所望の受信メールを選択し、表示部に表示させる場合には、使用者はキー操作部１５を操作し、メールモードの起動を指示する。制御部１１は、メモリ１２、表示ドライバ部１３を制御し、メールモードを起動させる（ステップＳ１）。このとき、本実施の形態では、メールモード起動時には、表示部１４はシングルビューモードの状態で起動される（ステップＳ２）。そして、制御部１１は、受信メール一覧データを取得し、表示部１４に受信メール一覧表示画面を表示させる（ステップＳ３）。
【００４４】
使用者はキー操作部１５を操作し、デュアルビューモードの起動を指示する（ステップＳ４のＹＥＳ）。制御部１１の映像データ合成手段では、メモリ１２を制御し、使用者が受信メール一覧画面で選択した受信メールの詳細データを取得する（ステップＳ５）。そして、映像データ合成手段では、受信メール一覧データと選択受信メールデータとからデュアルビューデータを生成する（ステップＳ６）。一方、制御部１１内の表示画像制御手段では、表示部１４に対し、スリット機能を起動させる（ステップＳ７）。そして、制御部１１は、表示ドライバ部１３を制御し、表示部１４にデュアルビューデータを表示させる（ステップＳ８）。
【００４５】
使用者は、表示部１４に対し、一方向からの表示画面である受信メール一覧表示画面に従い、戻るキーを押下せず（ステップＳ９のＮＯ）、十字キー１５５の上下キーを押下すると（ステップＳ１０のＹＥＳ）、ステップＳ５へと戻り、受信メール一覧データと新たな選択受信メール一覧データとからデュアルビューデータが生成され、表示部１４に表示される。
【００４６】
一方、使用者が、十字キー１５５の上下キーを押下せず（ステップＳ１０のＮＯ）、センターキー１５１を押下せず（ステップＳ１１のＮＯ）、デュアルビューモードの終了を指示する（ステップＳ１２）。制御部１１は、デュアルビューモードを終了させ、シングルビューモードを起動させ（ステップＳ１３）、表示部１４に受信メール一覧表示画面を表示させる（ステップＳ１４）。ここで、ステップＳ４において、使用者は、デュアルビューモードの起動を指示しない場合には（ステップＳ４のＮＯ）、ステップＳ１４へと進み、シングルビューモードの状態で、受信メールを閲覧できる。その後、使用者が、メールモードの終了を指示すると、制御部１１は、メールモードを終了させる（ステップＳ１５）。
【００４７】
尚、ステップＳ９で、使用者が、戻るキーを押下した場合には（ステップＳ９のＹＥＳ）、ステップＳ２へと戻り、制御部１１は、デュアルビューモードを終了させ、シングルビューモードを起動させる。
【００４８】
ステップＳ１１において、使用者が、センターキー１５１を押下した場合には、表示部１４に、以下に説明する画面が表示される。以下のフローチャートは、図６を参照として説明する。
【００４９】
図６に示すように、使用者が、デュアルビュー表示画面に従い、センターキー１５１を押下すると、制御部１１の映像データ合成手段では、メモリ１２を制御し、選択受信メールの本文データを取得する（ステップＳ２１）。そして、映像データ合成手段では、選択受信メールデータと選択受信メールの本文データとからデュアルビューデータを生成する（ステップＳ２２）。一方、制御部１１内の表示画像制御手段では、表示部１４に対し、スリット機能を起動させる（ステップＳ２３）。そして、制御部１１は、表示ドライバ部１３を制御し、表示部１４にデュアルビューデータを表示させる（ステップＳ２４）。
【００５０】
使用者は、表示部１４に対し、一方向、あるいは、他方向からの表示画面である選択受信メール画面、あるいは、その本文画面に従い、戻るキーを押下せず（ステップＳ２５のＮＯ）、十字キー１５５の上下キーを押下する（ステップＳ２６のＹＥＳ）。制御部１１はメモリ１２を制御し、選択受信メールに画像データが添付されているか、否かを判断する。そして、制御部１１が、画像データが添付されていると判断した場合には（ステップＳ２７のＹＥＳ）、制御部１１の映像データ合成手段では、メモリ１２を制御し、選択受信メールの添付画像データを取得する（ステップＳ２８）。そして、映像データ合成手段では、選択受信メールデータと添付画像データとからデュアルビューデータを生成する（ステップＳ２９）。一方、制御部１１内の表示画像制御手段では、表示部１４に対し、スリット機能を起動させる（ステップＳ３０）。そして、制御部１１は、表示ドライバ部１３を制御し、表示部１４にデュアルビューデータを表示させる（ステップＳ３１）。
【００５１】
尚、ステップＳ２５で、使用者が、戻るキーを押下した場合には（ステップＳ２５のＹＥＳ）、図５に示すフローチャートのステップＳ８へと戻る。そして、その後の説明は、上述した通りであるので、その説明を参照とし、ここでは説明を割愛する。
【００５２】
使用者は、表示部１４に対し、一方向、あるいは、他方向からの表示画面である選択受信メール画面、あるいは、添付画像画面に従い、戻るキーを押下せず（ステップＳ３２のＮＯ）、センターキー１５１を押下する（ステップＳ３３のＹＥＳ）。制御部１１は、デュアルビューモードを終了させ、シングルビューモードを起動させ（ステップＳ３４）、表示部１４に添付画像画面を表示させる（ステップＳ３５）。そして、使用者が、シングルビューモードの添付画像画面に従い、戻るキーを押下すると（ステップＳ３６のＹＥＳ）、再び、デュアルビューモードが起動し、選択受信メール画面と添付画像画面とのデュアルビュー画面が表示される。また、ステップＳ３３で、使用者がセンターキー１５１を押下しない場合には（ステップＳ３３のＮＯ）、選択受信メール画面と添付画像画面とのデュアルビュー画面が表示された状態のままである。一方、使用者が、シングルビューモードの添付画像画面に従い、戻るキーを押下しない場合には（ステップＳ３６のＮＯ）、シングルビューモードの添付画像画面が表示された状態のままである。
【００５３】
また、ステップＳ２７で、制御部１１が、選択受信メールに画像データが添付されてないと判断した場合には（ステップＳ２７のＮＯ）、表示部１４には、選択受信メール画面と本文画面とのデュアルビュー画面が表示された状態のままである（ステップＳ２４）。また、ステップＳ３２で、使用者が、戻るキーを押下した場合には（ステップＳ３２のＹＥＳ）、表示部１４には、選択受信メール画面と本文画面とのデュアルビュー画面が表示される（ステップ２４）。
【００５４】
使用者が、十字キー１５５の上下キーを押下せず（ステップＳ２６のＮＯ）、センターキー１５１を押下せず（ステップＳ３７のＮＯ）、デュアルビューモードの終了を指示する（ステップＳ３８）。制御部１１は、デュアルビューモードを終了させ、シングルビューモードを起動させ（ステップＳ３９）、表示部１４に選択受信メール画面を表示させる（ステップＳ４０）。その後、使用者が、メールモードの終了を指示すると、制御部１１は、メールモードを終了させる（ステップＳ４１）。
【００５５】
ステップＳ３７において、使用者が、センターキー１５１を押下した場合には、表示部１４に、以下に説明する画面が表示される。以下のフローチャートは、図７を参照として説明する。
【００５６】
図７に示す如く、使用者が、デュアルビュー表示画面に従い、センターキー１５１を押下すると、制御部１１の映像データ合成手段では、メモリ１２を制御し、選択受信メールの本文データが２頁以上あるか、否かを判断する。映像データ合成手段が、本文データが２頁以上あると判断した場合には（ステップＳ５１のＹＥＳ）、映像データ合成手段では、メモリ１２を制御し、選択受信メールの本文データを取得する（ステップＳ５２）。そして、映像データ合成手段では、２頁の本文データからデュアルビューデータを生成する（ステップＳ５３）。一方、制御部１１内の表示画像制御手段では、表示部１４に対し、スリット機能を起動させる（ステップＳ５４）。そして、制御部１１は、表示ドライバ部１３を制御し、表示部１４にデュアルビューデータを表示させる（ステップＳ５５）。
【００５７】
使用者は、表示部１４に対し、一方向、あるいは、他方向からの表示画面である本文画面に従い、戻るキーを押下せず（ステップＳ５６のＮＯ）、センターキー１５１を押下する（ステップＳ５７のＹＥＳ）。制御部１１はメモリ１２を制御し、選択受信メールに画像データが添付されているか、否かを判断する。そして、制御部１１が、画像データが添付されていると判断した場合には（ステップＳ５８のＹＥＳ）、制御部１１の映像データ合成手段では、メモリ１２を制御し、選択受信メールの添付画像データを取得する（ステップＳ５９）。そして、映像データ合成手段では、選択受信メールデータと添付画像データとからデュアルビューデータを生成する（ステップＳ６０）。一方、制御部１１内の表示画像制御手段では、表示部１４に対し、スリット機能を起動させる（ステップＳ６１）。そして、制御部１１は、表示ドライバ部１３を制御し、表示部１４にデュアルビューデータを表示させる（ステップＳ６２）。尚、ステップＳ５６で、使用者が、戻るキーを押下した場合には（ステップＳ５６のＹＥＳ）、図６に示すフローチャートのステップＳ２４と戻る。
【００５８】
使用者は、表示部１４に対し、一方向、あるいは、他方向からの表示画面である選択受信メール画面、あるいは、添付画像画面に従い、戻るキーを押下せず（ステップＳ６３のＮＯ）、センターキー１５１を押下する（ステップＳ６４のＹＥＳ）。制御部１１は、デュアルビューモードを終了させ、シングルビューモードを起動させ（ステップＳ６５）、表示部１４に添付画像画面を表示させる（ステップＳ６６）。そして、使用者が、シングルビューモードの添付画像画面に従い、戻るキーを押下すると（ステップＳ６７のＹＥＳ）、再び、デュアルビューモードが起動し、選択受信メール画面と添付画像画面とのデュアルビュー画面が表示される。
【００５９】
ステップＳ５８で、制御部１１の映像データ合成手段が、選択受信メールに画像データが添付されていないと判断した場合には、表示部１４には、２頁の本文画面のデュアルビュー画面が表示された状態のままである。また、ステップＳ６３で、使用者が戻るキーを押下した場合には（ステップＳ６３のＹＥＳ）、表示部１４には、２頁の本文画面のデュアルビュー画面が表示される（ステップＳ５５）。また、ステップＳ６４で、使用者がセンターキー１５１を押下しない場合には（ステップＳ６４のＮＯ）、選択受信メール画面と添付画像画面とのデュアルビュー画面が表示された状態のままである。一方、使用者が、シングルビューモードの添付画像画面に従い、戻るキーを押下しない場合には（ステップＳ６７のＮＯ）、シングルビューモードの添付画像画面が表示された状態のままである。
【００６０】
使用者が、使用者は、表示部１４に対し、一方向、あるいは、他方向からの表示画面である本文画面に従い、戻るキーを押下せず（ステップＳ５６のＮＯ）、センターキー１５１を押下せず（ステップＳ５７のＮＯ）、デュアルビューモードの終了を指示する（ステップＳ６８のＹＥＳ）。制御部１１は、デュアルビューモードを終了させ、シングルビューモードを起動させ（ステップＳ６９）、表示部１４に選択受信メールの本文画面を表示させる（ステップＳ７０）。その後、使用者が、メールモードの終了を指示すると、制御部１１は、メールモードを終了させる（ステップＳ７１）。尚、ステップＳ６８で、使用者が、デュアルビューモードの終了を指示しない場合には（ステップＳ６８のＹＥＳ）、表示部１４には、２頁の本文画面のデュアルビュー画面が表示された状態のままである。
【００６１】
ステップＳ５１で、制御部１１の映像データ合成手段が、本文データが２頁以上ないと判断し（ステップＳ５１のＮＯ）、選択受信メールに画像データが添付されていると判断する（ステップＳ７２のＹＥＳ）。この場合には、ステップＳ５９へと進む。
【００６２】
制御部１１の映像データ合成手段が、本文データが２頁以上ないと判断し（ステップＳ５１のＮＯ）、選択受信メールに画像データが添付されていないと判断し（ステップＳ７２のＮＯ）、一方、使用者が、センターキー１５１を押下する（ステップＳ７３のＹＥＳ）。制御部１１は、デュアルビューモードを終了させ、シングルビューモードを起動させ（ステップＳ７４）、表示部１４に本文画面を表示させる（ステップＳ７５）。そして、使用者が、シングルビューモードの本文画面に従い、戻るキーを押下すると（ステップＳ７６のＹＥＳ）、図６に示すフローチャートのステップＳ２４と戻る。また、使用者が、戻るキーを押下しない場合には（ステップＳ７６のＮＯ）、シングルビューモードの本文画面が表示された状態のままである。
【００６３】
制御部１１の映像データ合成手段が、本文データが２頁以上ないと判断し（ステップＳ５１のＮＯ）、選択受信メールに画像データが添付されていないと判断し（ステップＳ７２のＮＯ）、一方、使用者が、センターキー１５１を押下せず（ステップＳ７３のＮＯ）、更に、戻るキーを押下しない（ステップＳ７７のＮＯ）。図６に示すフローチャートのステップＳ２４と戻る。一方、使用者が、戻るキーを押下すると（ステップＳ７７のＹＥＳ）、図５に示すフローチャートのステップＳ８へと戻る。
【００６４】
次に、図８から図１３は、本発明の携帯電話機の電子メールデータ閲覧画面におけるデュアルビューモードを用いた表示方法を説明するための説明図である。尚、以下では、電子メールモードの受信メールに関して説明するが、送信メールに関しても同様である。
【００６５】
図８（Ａ）から（Ｃ）は、図５に示すフローチャートのステップＳ５からステップＳ９に対応する説明図である。図示したように、点線の枠内には２つの画面が表示され、紙面に対して左側の画面が受信メール一覧画面であり、右側の画面が選択受信メールの詳細画面である。そして、図では、２つの画面を示しているが、実際には、使用者の視角により、使用者は、表示部１４にどちらか一方の画面を見ることができる。そして、使用者が、十字キー１５５の上下キーを押下し、受信メール一覧で受信メールを選択するごとに、選択された受信メールによるデュアルビュー画面が表示される。
【００６６】
つまり、本実施の形態では、携帯電話機１の表示部１４を傾けることで、あるいは、表示部１４に対して、使用者の視角を変えることで、受信メール一覧画面と選択受信メールの詳細画面とを容易に切り換えて見ることができる。そのことで、使用者は、煩雑な操作を繰り返すことなく、受信メール一覧画面から所望の選択受信メールを検索し、見ることができる。
【００６７】
また、本実施の形態では、選択受信メールの詳細画面では、戻るアイコンが表示されていない。例えば、受信メール一覧画面では、戻るアイコンが表示され、戻るアイコンに対応するキー操作部１５を押下すると、シングルビューモードが起動し、受信メール一覧画面が表示される。そして、同様に、使用者が、選択受信メールの詳細画面を見ている場合に、戻るアイコンに対応するキー操作部１５を押下すると、シングルビューモードが起動し、受信メール一覧画面が表示される。そのため、本実施の形態では、使用者は、選択受信メールの詳細画面を見ている状態で、戻るアイコンに対応するキー操作部１５を押下しないように、選択受信メールの詳細画面に戻るアイコンを表示しない。その結果、使用者は、デュアルビューモードが起動した状態で所望の受信メールを連続して検索することができ、誤操作によるシングルビューモードへの切り換えを防止できる。
【００６８】
尚、本実施の形態では、使用者が、受信メール一覧画面、あるいは、選択受信メールの詳細画面のどちらかの画面を見ている状態で、十字キー１５５の上下キーを押下した場合においても、個々の受信メールが選択される。そして、受信メール一覧画面と選択受信メールの詳細画面とのデュアルビュー画面が表示される。つまり、使用者は、どちらの画面を見ている状態で、上下キーを押下しても、同一の動作が行われる。
【００６９】
図９（Ａ）は、図８（Ａ）の画面で、使用者が、センターキー１５１を押下した場合に表示されるデュアルビュー画面である。そして、図９（Ａ）から（Ｃ）は、図６に示すフローチャートのステップＳ２４からステップＳ３６に対応する説明図である。図９（Ａ）に示すデュアルビュー画面では、選択受信メールの詳細画面と該選択受信メールの本文画面とを見ることができる。使用者は、図９（Ａ）のデュアルビュー画面を見ながら、十字キー１５５の下キーを押下すると、図９（Ｂ）に示す、選択受信メールの詳細画面と添付画像画面とによるデュアルビュー画面が表示される。更に、使用者が、図９（Ｂ）のデュアルビュー画面を見ながら、センターキー１５１を押下すると、図９（Ｃ）に示す、シングルビューモードによる添付画像画面が表示される。
【００７０】
本実施の形態では、図９（Ｂ）に示すデュアルビュー画面において、使用者が、センターキー１５１を押下すると、デュアルビューモードからシングルビューモードへと切り換わり、繊細な画像画面を表示することができる。つまり、本実施の形態では、添付画像データのように、画像の解像度を高くした状態で鑑賞したい場合には、容易にシングルビューモードへと切り換えることができる。
【００７１】
また、図９（Ｂ）に示すように、デュアルビュー画面の選択受信メールの詳細画面では、決定アイコンがセンターキー１５１に対応し、添付画像画面では、繊細アイコンがセンターキー１５１に対応している。本実施の形態では、どちらの画面を見ている状態でセンターキー１５１を押下しても、シングルビューモードが起動し、添付画像画面が表示される。つまり、本実施も形態では、それぞれの画面に従い操作した場合でも、同じシングルビューモードの添付画像画面が表示されるので、使用者の誤操作を防ぎ、操作性を向上させることができる。
【００７２】
尚、本実施の形態では、図８（Ａ）と図９（Ａ）との間、あるいは、図９（Ｂ）と（Ｃ）との間の表示画面を移行させる際に、十字キー１５５の左キーを押下する場合でも、戻るアイコンに対応するキー操作部１５を押下する場合でも同じ操作となる。
【００７３】
図１０（Ａ）は、図９（Ａ）の画面で、使用者が、センターキーを押下した場合に表示されるデュアルビュー画面である。そして、図１０（Ａ）から（Ｃ）は、図７に示すフローチャートのステップＳ５１からステップＳ６７に対応する説明図である。図１０（Ａ）に示すデュアルビュー画面では、２頁にわたり書かれた本文画面を見ることができる。使用者は、図１０（Ａ）のデュアルビュー画面を見ながら、センターキー１５１を押下すると、図１０（Ｂ）に示す、選択受信メールの詳細画面と添付画像画面とによるデュアルビュー画面が表示される。更に、使用者が、図１０（Ｂ）のデュアルビュー画面を見ながら、センターキー１５１を押下すると、図１０（Ｃ）に示す、シングルビューモードによる添付画像画面が表示される。
【００７４】
つまり、本実施の形態では、従来であれば、スクロール等を行いながら読んでいた画面を表示部に対する視角を変えるだけで、両頁を読むことができる。そのことで、使用者は、余計な操作を行うことなく、１画面で２画面分の情報を得ることができ、使用者の利便性を向上させることができる。
【００７５】
尚、本実施の形態では、図９の場合と同様に、デュアルビュー画面のどちらの画面を見ている状態でセンターキー１５１を押下しても、同じ画面が表示される。また、十字キー１５５の左キーを押下する場合でも、戻るアイコンに対応するキー操作部１５を押下する場合でも同じ操作となる。
【００７６】
図１１（Ａ）は、図８（Ｂ）の画面で、使用者が、センターキー１５１を押下した場合に表示されるデュアルビュー画面である。そして、図１１（Ａ）から（Ｃ）は、図６及び図７に示すフローチャートのステップＳ２７からステップＳ３６、ステップＳ５１、Ｓ７２、Ｓ７３、Ｓ７７に対応する説明図である。図１１（Ａ）に示すデュアルビュー画面では、選択受信メールの詳細画面と該選択受信メールの本文画面とを見ることができる。使用者は、図１１（Ａ）のデュアルビュー画面を見ながら、十字キー１５５の下キーを押下すると、図１１（Ｂ）に示す、選択受信メールの詳細画面と添付画像画面とによるデュアルビュー画面が表示される。更に、使用者が、図１１（Ｂ）のデュアルビュー画面を見ながら、センターキー１５１を押下すると、図１１（Ｃ）に示す、シングルビューモードによる添付画像画面が表示される。
【００７７】
尚、本実施の形態では、図９の場合と同様に、デュアルビュー画面のどちらの画面を見ている状態でセンターキー１５１を押下しても、同じ画面が表示される。また、十字キー１５５の左キーを押下する場合でも、戻るアイコンに対応するキー操作部１５を押下する場合でも同じ操作となる。
【００７８】
図１２（Ａ）は、図１１（Ａ）の画面で、使用者が、センターキー１５１を押下した場合に表示されるデュアルビュー画面である。そして、図１２（Ａ）及び（Ｂ）は、図７に示すフローチャートのステップＳ６２からステップＳ６７に対応する説明図である。図１２（Ａ）に示すデュアルビュー画面では、選択受信メールの本文画面と添付画像画面とを見ることができる。使用者は、図１２（Ａ）のデュアルビュー画面を見ながら、センターキー１５１を押下すると、図１２（Ｂ）に示す、シングルビューモードによる添付画像画面が表示される。
【００７９】
尚、本実施の形態では、図９の場合と同様に、デュアルビュー画面のどちらの画面を見ている状態でセンターキー１５１を押下しても、同じ画面が表示される。また、十字キー１５５の左キーを押下する場合でも、戻るアイコンに対応するキー操作部１５を押下する場合でも同じ操作となる。
【００８０】
図１３（Ａ）は、図８（Ｃ）の画面で、使用者が、センターキー１５１を押下した場合に表示されるデュアルビュー画面である。そして、図１３（Ａ）及び（Ｂ）は、図７に示すフローチャートのステップＳ７３からステップＳ７６に対応する説明図である。図１３（Ａ）に示すデュアルビュー画面では、選択受信メールの詳細画面と該選択受信メールの本文画面とを見ることができる。使用者は、図１３（Ａ）のデュアルビュー画面を見ながら、センターキー１５１を押下すると、図１３（Ｂ）に示す、シングルビューモードによる本文画面が表示される。
【００８１】
尚、本実施の形態では、図９の場合と同様に、デュアルビュー画面のどちらの画面を見ている状態でセンターキー１５１を押下しても、同じ画面が表示される。また、十字キー１５５の左キーを押下する場合でも、戻るアイコンに対応するキー操作部１５を押下する場合でも同じ操作となる。
【００８２】
上述したように、本実施の形態では、携帯電話機１のメールモードにおける受信メールの場合について説明したが、この場合に限定する必要はない。例えば、デュアルビューモードの表示画面の一方向からの画面として、受信メールの本文画面を表示し、他方向からの表示画面として、該受信メールへの返信メール作成画面を表示することもできる。そのことで、使用者は、表示部に対する視角を変えるだけで、受信メールの内容を確認しながら、返信メールを作成することができる。この他にも、メール新規作成画面とスケジュール画面とを、デュアルビューモード表示画面により表示することで、使用者は、自己のスケジュールを確認しながら、メールを作成することができる。
【００８３】
また、例えば、パノラマ撮影した画像データのように、横方向へと長い画像の場合には、該パノラマ画像データの右半分をデュアルビューモードの一方向からの画像として、該パノラマ画像データの左半分をデュアルビューモードの他方向からの画像として見ることが出来る。そのことで、使用者は、表示部サイズに限界がある電子機器でも、容易に全画像を鑑賞することができる。尚、縦方向に長い画像の場合にも、同様である。
【００８４】
また、例えば、デュアルビューモードの表示画面の一方向からの画面として、地図全体画面を表示し、他方向からの表示画面として、該地図の詳細画面を表示することもできる。更に、カーナビゲーションシステムのように、車載用の表示部の場合には、デュアルビューモードの表示画面の一方向からの画面として、地図画面を表示し、他方向からの表示画面として、映画やテレビ等の映像やカーナビゲーションシステムを操作するための操作ボタンを表示させることもできる。そのことで、ドライバー側からは、映像や操作ボタンが見れないようにすることができ、安全運転を行うことができる。
【００８５】
また、例えば、デュアルビューモードの表示画面の一方向からの画面として、時計画面を表示し、他方向からの表示画面として、カレンダー画面を表示することもできる。そのことで、例えば、腕時計のように、限られた表示部を有する場合でも、多くの情報を提供することができる。
【００８６】
また、本実施の形態では、表示部全面にスリット機能を設定する場合について説明したが、この場合に限定する必要はない。例えば、表示部の一部にのみスリット機能を設定する場合でも良い。そして、映画を鑑賞する場合では、画像データはスリット機能が設定されていない領域に表示し、字幕は、スリット機能が設定された、該画像データに影響を与えない領域に表示させる。そのことで、使用者は、字幕を表示させるか、否かは、その都度選択でき、画像は解像度が劣化しない状態で鑑賞することができる。その他、本発明の要旨を逸脱しない範囲で、種々の変更が可能である。
【図面の簡単な説明】
【００８７】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明するための概略機能ブロック図である。
【図３】同携帯電話機のデュアルビューモード画面用のデータの合成方法を説明する（Ａ）イメージ図、（Ｂ）イメージ図、（Ｃ）イメージ図である。
【図４】同携帯電話機のデュアルビューモード画面の仕組みを説明するイメージ図である。
【図５】同携帯電話機の電子メール機能において、デュアルビューモードを用いた表示方法を説明するためのフローチャートである。
【図６】同携帯電話機の電子メール機能において、デュアルビューモードを用いた表示方法を説明するためのフローチャートである。
【図７】同携帯電話機の電子メール機能において、デュアルビューモードを用いた表示方法を説明するためのフローチャートである。
【図８】同携帯電話機の電子メール機能において、デュアルビューモードにより表示される画面を説明するための（Ａ）説明図、（Ｂ）説明図、（Ｃ）説明図である。
【図９】同携帯電話機の電子メール機能において、デュアルビューモードにより表示される画面を説明するための（Ａ）説明図、（Ｂ）説明図であり、（Ｃ）シングルビューモードにより表示される画面を説明するための説明図である。
【図１０】同携帯電話機の電子メール機能において、デュアルビューモードにより表示される画面を説明するための（Ａ）説明図、（Ｂ）説明図であり、（Ｃ）シングルビューモードにより表示される画面を説明するための説明図である。
【図１１】同携帯電話機の電子メール機能において、デュアルビューモードにより表示される画面を説明するための（Ａ）説明図、（Ｂ）説明図であり、（Ｃ）シングルビューモードにより表示される画面を説明するための説明図である。
【図１２】同携帯電話機の電子メール機能において、（Ａ）デュアルビューモードにより表示される画面を説明するための説明図であり、（Ｂ）シングルビューモードにより表示される画面を説明するための説明図である。
【図１３】同携帯電話機の電子メール機能において、（Ａ）デュアルビューモードにより表示される画面を説明するための説明図であり、（Ｂ）シングルビューモードにより表示される画面を説明するための説明図である。
【符号の説明】
【００８８】
１          携帯電話機
２          スピーカー
３          マイク
４          第２表示部
５          撮像部
６          背面キー
１１          制御部
１２          メモリ
１３          表示ドライバ部
１４          表示部
１５          キー操作部
１６          バックライト
１７          アンテナ
１８          無線部
１９          通信制御部
２０          スリット
２１          一方向からの映像
２２          他方向からの映像
【図１】
2005077936.tif 000003
【図２】
2005077936.tif 000004
【図３】
2005077936.tif 000005
【図４】
2005077936.tif 000006
【図５】
2005077936.tif 000007
【図６】
2005077936.tif 000008
【図７】
2005077936.tif 000009
【図８】
2005077936.tif 000010
【図９】
2005077936.tif 000011
【図１０】
2005077936.tif 000012
【図１１】
2005077936.tif 000013
【図１２】
2005077936.tif 000014
【図１３】
2005077936.tif 000015